(57)【要約】【課題】ステータ巻線のリード線端子を基板の裏側にあるランドに半田付けする際に手間がかからず、リード線が折れて切断することもなく、また、ステータ巻線とブラケットが導通する不具合も生じない、ブラシレスモータを提供することを目的とする。【解決手段】基板３の外周に設ける切り欠き７を、リード線端子５と交差すべく外周に対して斜めに設け、リード線端子５を切り欠き７の部分で折り曲げたりせずに、リード線端子５が伸びた状態で基板３の外周側からスライドさせ、切り欠き７の部分にそのままリード線端子５を挟んで固定し、基板３の裏側に出たリード線端子５を基板３の裏側にあるランド６に半田付けして接続する。【選択図】図１
2007166851.tif 000002
【特許請求の範囲】
【請求項１】
基板の外周にリード線の端子に対して交差すべく切り欠きを設け、リード線の端子を切り欠きで基板の一方の側から他方の側へ通して挟み込み、他方の側にあるランド部分にリード線の端子を半田付けして接続したことを特徴とする回路基板
【請求項２】
前記切り欠きを挟んでリード線の端子がある側にのみ前記ランド部分を設けたことを特徴とする前記請求項１に記載の回路基板
【請求項３】
ブラシレスモータのステータ巻線のリード線及びコモン線の端子に対して交差すべく、切り欠きを基板の外周に設け、前記端子を切り欠きで基板の裏側に通して挟み込み、基板の裏側にあるランドに各々半田付けして接続したことを特徴とするブラシレスモータ
【請求項４】
前記ランドを前記切り欠きよりも外側に設けたことを特徴とする前記請求項３に記載のブラシレスモータ
【請求項５】
前記基板とブラケットの間に絶縁シートを配し、絶縁シートには基板の切り欠きを斜めに塞ぐ形状の切り欠きを外周に設け、基板の切り欠きと絶縁シートの切り欠きとでリード線及びコモン線の端子を挟み込んで固定したことを特徴とする前記請求項３及び請求項４のいずれか１項に記載のブラシレスモータ
【請求項６】
前記請求項３から請求項５のいずれか１項に記載のブラシレスモータを搭載したディスク駆動装置
【発明の詳細な説明】
【技術分野】
【０００１】
本発明は、例えばＤＶＤ、ＣＤなどの光ディスクを回転させる小型ブラシレスモータのステータ巻線のリード線端子の固定方法に関するものである。
【背景技術】
【０００２】
通常、アウターロータ型の小型ブラシレスモータにおいて、ステータ巻線のリード線端子は、基板に接続されており、基板に設置されたコネクタを介して、モータ電流が供給される。
【０００３】
従来、前記リード線端子１１の接続に際しては、図３に示すように、基板１２に端子ピン１３を半田付けして、その端子ピン１３にリード線端子１１を巻き付け処理して接続する方法が知られている（例えば特許文献１参照）。
【０００４】
なお、端子ピンを別に設けずに、リード線端子を直接基板に半田付けしてもいいが、顧客の要望等により基板パターンを裏側（ステータ巻線が設置される側とは反対側）に配置する場合は、基板の裏側にリード線端子を半田付けする必要があり、図４（ａ）に示すように、基板１４の外周に切り欠き１５を設け、図４（ｂ）及び図５に示すように、切り欠き１５の部分でリード線端子１６を折り返し、引っ掛けて動かないように固定し、基板１４の裏側のランド１７に半田付けして接続する。
【特許文献１】特開平６−３２７２０９号公報（第２頁、図１）
【発明の開示】
【発明が解決しようとする課題】
【０００５】
しかしながら、上記構成では、リード線端子１６の基板１４のランド１７への半田付けの際に、リード線端子１６を基板１４の外周の切り欠き１５部分で折り曲げる手間がかかる。
【０００６】
また、リード線端子１６をほぼ１８０度に折り曲げるため、半田付けが十分にされていたとしても、折り曲げられた部分でリード線端子１６が折れて切断する恐れが生じるという課題があった。
【０００７】
さらに、半田付けされた部分がブラケット１８に近接しているため、半田量が多かったりすると、リード線端子１６とブラケット１８が導通する不具合が生じてしまうという課題もあった。
【０００８】
本発明は、このような従来の課題を解決するものであり、ステータ巻線のリード線端子を基板の裏側にあるランドに半田付けする際に手間がかからず、リード線端子が折れて切断することもなく、また、リード線端子とブラケットが導通する不具合も生じない、ブラシレスモータを提供することを目的とする。
【課題を解決するための手段】
【０００９】
上記課題を解決するために本発明は、基板の外周に設ける切り欠きを、リード線端子と交差すべく外周に対して斜めに設け、リード線端子を切り欠きの部分で折り曲げたりせずに、リード線端子が伸びた状態で基板の外周側からスライドさせ、切り欠きの部分にそのままリード線端子を挟んで固定し、基板の裏側に出たリード線端子を基板の裏側にあるランドに半田付けして接続する。
【発明の効果】
【００１０】
本発明の小型ブラシレスモータによれば、ステータ巻線のリード線端子を基板の裏側のランドに半田付けして接続する際に、リード線端子を折り曲げたりせず、そのままリード線端子を切り欠き部分に挟んで固定でき、作業性が向上する。
【００１１】
また、リード線端子を折り曲げる部分を設けないので、リード線端子が折れて切断する不具合の発生を防ぎ、信頼性が向上する。
【００１２】
さらに、リード線端子が半田付けされるランド部分を切り欠きの外側に設けるので、ランド部分とブラケットが近接しておらず、リード線端子とブラケットが導通する不具合の発生も防ぎ、信頼性が向上する。
【００１３】
さらにまた、絶縁シートが基板の切り欠き部分を半分以上塞ぐので、防塵効果も期待できる。
【発明を実施するための最良の形態】
【００１４】
本発明の実施の形態は、ブラシレスモータのステータ巻線のリード線及びコモン線の端子に対して交差すべく、切り欠きを基板の外周に設け、前記端子を切り欠きで基板の裏側に通して挟み込み、基板の裏側にあるランドに各々半田付けして接続した構成としたものであり、前記端子を基板のランドに半田付けする際に、前記端子が伸びた状態で基板外周の切り欠き部分に横からスライドさせ、切り欠き部分にそのまま前記端子を挟んで固定でき、前記端子を折り曲げたりする手間が省け、かつ、前記端子は切り欠きのところで多少曲がっていても、ほぼ１８０度に折れ曲がったりしていないので、前記端子が容易に切断することはない。
【００１５】
また、本発明の実施の形態は、前記ランド部分を前記切り欠きよりも外側に設けた構成としたものであり、前記ランド部分がブラケットに近接していないので、リード線及びコモン線の端子とブラケットが導通することもない。
【００１６】
さらに、前記基板とブラケットの間に絶縁シートを配し、絶縁シートには基板の切り欠きを斜めに塞ぐ形状の切り欠きを外周に設け、基板の切り欠きと絶縁シートの切り欠きとでリード線及びコモン線の端子を挟み込んで固定した構成としたものであり、前記端子を基板のランドに半田付けする際に、前記端子の切り欠き部分での固定がより確実となり、作業性がさらに向上する。
【００１７】
さらにまた、本発明の実施の形態は、前記構成のブラシレスモータを搭載したディスク駆動装置としたものであり、信頼性の高いディスク駆動装置を提供することができる。
【実施例】
【００１８】
以下本発明の実施例について、図面を参照して説明する。
（実施例１）
図１（ａ）は、本発明の実施例におけるアウターロータ型の小型ブラシレスモータのステータ側の部品を軸方向上側見た図であり、ブラケット１の上に絶縁シート２を挟んで基板３が接着等により固定され、さらにその上にステータコアに巻線を巻回したステータ巻線４が圧入等により固定されている。
【００１９】
ステータ巻線４の各相のリード線及びコモン線の端子５は、図１（ｂ）に示すように、基板３の裏側（下側）のランド６に半田付けされているが、前記端子５を基板３の表側（上側）から裏側に引き回すために、絶縁シート２と基板３のそれぞれ外周に切り欠き７を設けている。
【００２０】
なお、基板３の切り欠き形状は、図１（ａ）に示すようにＵ字型とし、絶縁シート２の切り欠き形状は図１（ｂ）に示すように、両者を重ねた際に基板３裏側のランド６と重ならず、かつ基板３の切り欠き形状を斜めに塞ぐ形状とし、両者を重ねてできる切り欠き７の形状は内側に尖った三角形で、軸方向上側から見て前記端子５に対して斜めに交差する位置関係となるように、それぞれの切り欠きを設ける。
【００２１】
前記端子５のランド６への接続は、図２に示すように、前記端子５が伸びた状態で、基板３の外周側から切り欠き７にスライドして、切り欠き７の部分にそのまま前記端子５を挟んで固定し、基板３の裏側に出た前記端子５を、基板３の裏側にある切り欠き７よりも外側に位置するランド６にそれぞれ半田付けして接続する。
【００２２】
よって、前記端子５を折り曲げたりする手間が省け、前記端子５を容易に切り欠き７に固定でき、前記端子５をランド６に半田付けして接続する作業性が向上する。
【００２３】
また、前記端子５は多少曲がったりはするが、従来例のようにほぼ１８０度に折れ曲がっていないので、前記端子５が切断する不具合の発生を防ぐことができる。
【００２４】
さらに、前記端子５が半田付けされるランド６の部分を切り欠き７の外側に設けているので、ランド６とブラケット１が近接しておらず、前記端子５とブラケット１が導通する不具合の発生も防ぐことができる。
【００２５】
さらにまた、基板の切り欠き部分を絶縁シートが半分以上塞ぐことで、塵や埃のモータ内部への浸入を防ぐ防塵効果も期待できる。
【００２６】
従って、本発明のステータ側の部品を用いて小型ブラシレスモータを構成すれば、リード線及びコモン線端子の基板ランドへの半田付け作業性が向上し、前記端子の断線、モータショート、絶縁耐圧不良、モータ内部への異物混入等の不具合が発生しない、より信頼性の高い小型ブラシレスモータを提供することができる。
【００２７】
また、本発明の小型ブラシレスモータを用いてディスク駆動装置を構成すれば、同様により信頼性の高いディスク駆動装置を提供することができる。
【産業上の利用可能性】
【００２８】
本発明の小型ブラシレスモータは、ステータ巻線のリード線の半田付け作業性が向上し、リード線の断線、モータショート、絶縁耐圧不良、モータ内部への異物混入等の不具合が発生しない、より信頼性の高いモータとすることができ、ＤＶＤ、ＣＤなどのディスクを回転させるスピンドルモータとして利用可能である。
【図面の簡単な説明】
【００２９】
【図１】（ａ）は本発明の実施例１におけるブラシレスモータのステータ側部品を示す平面図、（ｂ）は同底面図
【図２】同基板のランドに半田付けされたリード線端子を示す断面図
【図３】従来のブラシレスモータを示す半断面図
【図４】（ａ）は従来の他のブラシレスモータのステータ側部品を示す平面図、（ｂ）は同底面図
【図５】同基板のランドに半田付けされたリード線端子を示す断面図
【符号の説明】
【００３０】
１、１８    ブラケット
２    絶縁シート
３、１２、１４    基板
４、１９    ステータ巻線
５    リード線及びコモン線の端子
６、１７    ランド
７、１５    切り欠き
１１、１６    リード線端子
１３    端子ピン
【図１】
2007166851.tif 000003
【図２】
2007166851.tif 000004
【図３】
2007166851.tif 000005
【図４】
2007166851.tif 000006
【図５】
2007166851.tif 000007